(57)【要約】【課題】通話に必要な機器を内蔵する容器の耐圧構造や潜水深度による音声の低下やダイバーが言葉を明瞭に話すために使用するマウスマスク等の装着時の煩雑さ、ダイバーの音声を発するスピーカーを携帯したりする不便さの３点を同時に解消した通話システムを考案する。【解決手段】  潜水中に周囲の圧力と同じである二次減圧弁内空間１０aの空気を通気管によりスピーカー等の通話用機器を内蔵させた容器に送ることで容器内外の圧力差をなくし、音声振動が容易な薄い振動板の使用を可能とし、潜水深度による耐圧限界も解消した。またダイバーはバイトピース３５を軽く噛むだけでマウスマスク９と一体化した水中スピーカー１３付き二次減圧弁１０を保持できるだけでなく口を開閉しながらの発声が可能となり、かつスピーカーが常時話し手と同じ向きになるため操作の簡素化及び水中通話の向上を実現した。【選択図】図１
2006306339.tif 000002
【特許請求の範囲】
【請求項１】
潜水用レギュレーター２の二次減圧弁１０に、逆流防止弁２５を具備したマウスマスク９を取り付けたことにより水が浸入しない構造を有する二次減圧弁内空間１０aと浸水防止室内空間１１aが逆流防止弁２２を備えた通気管１７により繋がり、さらに浸水防止室内空間１１aから咽喉マイクロフォン内空間１２a、水中スピーカー内空間１３a、増幅器内空間１４a、電池ケース内空間１５a、電源スイッチ内空間１６aの各容器内空間を通気管で連結し（本発明においては、咽喉マイクロフォン１２は密閉容器に収容しなければならないダイナミックマイクロフォンなどの内蔵マイクロフォンを対象に記述しているが、密閉容器を必要としない耐水性のセラミックマイクロフォンを使用する場合は上記の通気管は不要となる）、潜水中に二次減圧弁１０で周囲の圧力に調整されて二次減圧弁内空間１０aに供給された空気の圧力が浸水防止室１１を介して上記各容器内空間に順次伝わり、周囲の圧力と同化することにより容器内外の圧力差が生じないように考案された水中通話装置。
【請求項２】
二次減圧弁１０に取り付けて使用するマウスマスク９内側の左右に上下に開いた２枚の薄い板バネのバイトピース３５を配し、ダイバーが口内支持部３５aを口内の歯列の内側に入れて噛締部３５bを軽く歯で噛むことにより板バネの反撥力により口内支持部３５aが上下顎の歯列の内側に掛かり、マウスマスク９を顔に密着固定させ二次減圧弁１０を保持することができるものであり、言葉を発するのに必要な口の開閉の動きに対してもその状態が維持されるためバンドや手を使用しないで二次減圧弁１０を保持しながら明瞭な言葉を発することが可能であり、かつ排気管２７をマウスマスク９下部に備えることにより通話時の呼気が排気管２７上端に多数空いた小さな排気孔２９から小さな気泡となって徐々に排出されることにより逆流防止弁２６の周囲に空気の層が形成されるため排気抵抗が小さく一定になりさらに発声し易くなる特徴を有するマウスマスク。
【請求項３】
通常使用するレギュレーター２の二次減圧弁１０前面に付属するパージボタンを軽量小型化した水中スピーカー１３に置き換えたものであり、通話時は音声発信源となる水中スピーカー１３が必然的に常時顔の向きと同じになり自然に話す相手側に向くためコミュニケーションがとりやすく、従来のようにスピーカーを内蔵した容器を手にもって相手に向ける操作を不要とし、パージボタンの代替装置として必要に応じてパージレバー３１を手前に押すことでダイヤフラム３２が下がりデマンドレバー３３が作動し二次減圧弁内空間１０aへ強制的に空気を供給することができる機能を有する装置。
【請求項４】
通気管２１によりダイバーの手元まで届く電源スイッチ１６を有する増幅器１４及び他の機器を収容した容器等を取付リング４４により圧縮空気タンク１のボトルネック１aの部分を利用して取り付け固定し携帯する方法及び装置。
【請求項５】
水中通話装置において、請求項１、請求項２、請求項３、請求項４の各項に記載した機能を有する装置が一つあるいは複数含まれたもの。
【請求項６】
水中でカメラ等の機器を収容した密閉容器を携帯する装置あるいは方法において、請求項１及び請求項４に記載した機能を有する装置または方法が一つあるいは両方が含まれたもの。
【発明の詳細な説明】
【技術分野】
【０００１】
本発明は、主にレジャーダイビングや潜水作業などの潜水活動において、ダイバーの水中通話に関わるものである。
【背景技術】
【０００２】
背景技術について第一項目、第二項目、第三項目の順に説明をする。第一項目として、従来、水中での通話に用いられる通話器のマイクロフォンやスピーカーなどの機器を収容する容器のほとんどが高い圧力の水圧に曝されるため容器自体も大型で重く、音声の受信や伝達に必要なマイクロフォンやスピーカーの振動板も水密容器の一部であるため耐圧強度が高く厚みのある構造となっていた。
【０００３】
これに対して、ダイバーが使用するレギュレーター２の二次減圧弁から供給される周囲の圧力と同じ圧力の空気を利用して機器を内蔵する容器に送り込み内外の圧力を同化させるという既知の技術を応用したものが考案されている。スピーカー付水中マスクというものが考案されており、スピーカーを収容する容器内の空間をスピーカー振動板により2つの空間に分け、その一側空間部へレギュレーターから供給される周囲と同圧の空気を空気管により間接的に供給し、同容器内他側空間へマスク内空間から空気連通管によりマスク内の空気を供給するタイプのものである。
【特許文献１】特開平０７-０５２８７９（第２０項から第３１項、第１図、第2図）
【０００４】
第二項目として、ダイバーが音声を発する際の問題である。通常のレギュレーター２の二次減圧弁１０に備わるマウスピースを使用する場合は、ダイバーはマウスピースを口の中に挿入しマウスピースの突起部を歯で噛み、唇でマウスピースの周囲を覆い水密にして呼吸する状態となる。この状態で話をする場合、口を閉じることも唇や舌を自由に動かすことができないため言葉が極めて不意明瞭になってしまう。そのためマウスピースを外して、顔全体を覆うことができるフルフェイスマスクあるいは口の周囲を覆うタイプのマウスマスクを二次減圧弁に取り付けバンドを使用して顔に装着する必要が生じる。またマウスマスクではバンドを使用せず話をする間、手で当該マスクを口に押し当てるなどの方法を用い、口を自由に動かせる状態にすることで言葉を明瞭に発することができるよう対策を講じており、マウスマスク内に歯で噛み締める部分を取り付けたものも考案されている。
【特許文献２】特開平０８-００８８４０（第１３項、第３図、第４図、第６図）
【特許文献３】特開平０９-３１５３８６（第１１項、第１図）
【特許文献４】特開平０６-１９１４８０（請求項２、第２図、第３図）
【０００５】
第三項目として、スピーカーと電源及び増幅器の携帯に関するものである。ダイバーの音声を電気的に増幅し音声振動を水中に発信する水中スピーカーは、従来、電源及び増幅器を内蔵させた容器内に一緒に組み込まれることが多く、その容器をダイバーが携帯した。
【発明の開示】
【発明が解決しようとする課題】
【０００６】
発明が解決しようとする課題については、背景技術の項に準じて第一項目、第二項目、第三項目の順に説明をする。
【０００７】
第一項目関して次の問題が生じる。マイクロフォンやスピーカーを内蔵させた強い耐圧構造をもった容器では、振動板の厚みを増すほど振幅範囲が狭くなり、音声の伝達性能が低下するという問題点が存在した。また、使用する深度が深くなるにつれて増加する水圧による外側からの一方的な振動板圧迫も音声振動の妨げとなり音声を低下させるだけでなく耐圧強度の限界による使用深度の制限があった。
【０００８】
一方、上記特開平０７-０５２８７９に記載されたスピーカー付水中マスクでは、スピーカーが強度の高い耐圧構造である必要がなく、容器内の空気中で陸上使用時と同じように振動板を振動させることができるため音の伝達も効率が良いと推測される。しかし、本来の使用目的は音源からの音声を空気連通管による空気伝播により、水中で当該マスクを付けているダイバー自身に伝達するためのスピーカーであり、水中へ音を発し他者への音声による情報伝達が目的のものではなかった。また、実際の使用状況を考慮した場合に水中マスクに水が入ることが想定されるが、水中マスク空間に接続された空気連通管への浸水対策について具体的手段が明示されていなかった。
【０００９】
第二項目に関して、次に掲げる１）から３）の不具合が生じる。１）フルフェイスマスクやマウスマスクを装着する場合、呼吸の安全確保から顔から外れないよう頭にかけるバンドの必要が生じることである。この動作や手順はダイバーにとって煩雑なものであるばかりでなく、当該マスクのずれによる水の浸入に対する不安も重なり強度のストレスをダイバーに与えることである。
【００１０】
2）マウスマスクの取り付け対象についての問題である。特開平０８-００８８４０に記載されたトークマウス及び特開平０９-３１５３８６に記載されたマウスマスクは図１１の予備の空気供給源であるオクトパス４に通話用のマウスマスクを取り付けたものもあるが、通話時に主たる空気源であるレギュレーターからオクトパス４に切り替えなければならず、使用中はマウスマスクをバンドで顔に固定させるか手で押さえていなければ口元から脱落してしまうという不便さがあった。これは本来、エアー切れのダイバーに対処するために用意されたオクトパス４の予備の空気供給源という機能を通話のために犠牲にしてしまう結果となり、安全性を欠いた装備になってしまうものである。
【００１１】
これに対し、特開平０６-１９１４８０で考案された通信装置の噛み締め部が付いたマウスマスクでは、手やバンドを使用しないでもマウスマスクを保持でき、オクトパス４につける必要もなくしたが、上記記載の噛み締め部は口内奥に位置するため、言葉を発する際に必要な口を閉じる動作が阻害されるだけでなく、噛み締め部に歯の内側に繋る突起部を備えていないため口を開けた場合にマウスマスクを手で押さえていなければ脱落することが推測されるものである。
【００１２】
3）フルフェイスマスクまたはマウスマスクあるいはマウスピースのいずれかを選択して通常の二次減圧弁に取り付けた場合、レギュレーターの二次減圧弁下部の逆流防止弁に付属する左右に排気口が２箇所開いた排気管から排気及び排水が行われるが、声を出すと同時に生じる呼気が二次減圧弁に付随する排気管の排気口の径に合わせて大きな気泡となり押し出され、その直後に水が排気管内に再び入り逆流防止弁の周囲が水で塞がれるという過程が繰り返され、その度に変動する排気及び排水抵抗の強弱により話しづらく発声が不安定になるという問題があった。
【００１３】
第三項目では、話して手であるダイバーは水中通話の音源であるスピーカーを内蔵した容器を携帯し、話をする度に聞き手であるダイバーに対しスピーカーを向ける必要があった。
【課題を解決するための手段】
【００１４】
課題を解決する手段は、前項の発明が解決しようとする課題に準じて第一項目、第二項目、第三項目の順に述べる。また、音声コード４３の配線や増幅器１４の電気回路等の詳細については本発明においての主たる対象ではないため省略する。
【００１５】
先ず第一項目では、咽喉マイクロフォン内空間１２a、水中スピーカー内空間１３aの空気圧力をダイバー呼吸する空気で充満する二次減圧弁内空間１０aの空気圧力と同化させる点にある。具体的には、添付した４図を参照しながら詳述する。図４に示したように二次減圧の給気口１０bに二次減圧弁１０aからマウスマスク内空間９a方向にのみ流れを制御する逆流防止弁２５を取り付け、同時にこの逆流防止弁２５を外部に伸びた押圧レバー４６により塞ぐことのできる押圧リング４５備え付ける。次に、二次減圧弁１０と浸水防止室１１の間を通気管１７により連結し、通気管１７の浸水防止室内空間１１a側端には、二次減圧弁１０aから浸水防止室内空間１１a側方向だけに空気あるいは水が流れるように制御する逆流防止弁２２を取り付ける。
【００１６】
図４に示したように浸水防止室内空間１１a下部には容器外側方向へだけ排気及び排水を制御する逆流防止弁２３を備え、同空間１１aには咽喉マイクロフォン内空間１２aに繋がる通気管１８及び水中スピーカー内空間１３aへ繋がる通気管１９、増幅器１４に繋がる通気管２０、さらに増幅器１４には電池ケース内空間１５aを経由し電源スイッチ内空間１６aを共有させる通気管２０が繋がっている。
【００１７】
本発明では上記咽喉マイクロフォン１２は、ダイナミックマイクなど密閉容器に収容する内蔵マイクロフォンの場合について記述しているが、密閉容器に収容する必要がない耐水性のセラミックマイクロフォンを使用する場合は上記通気管１８は不要となる。
【００１８】
第二項の１）から３）の全てに対処するものとして次の手段を講じる。圧縮空気タンク１の高圧空気を圧力調整して周囲の圧力と同じ圧の空気をダイバーへ供給するレギュレーター２の二次減圧弁１０に取り付けるマウスマスク９に図２に示したようにバイトピース３５、逆流防止弁２５、２６を配し、排気管２７を逆流防止弁２６部に取り付ける。
【００１９】
図６に表したようにバイトピース３５は、口内支持部３５a、噛締部３５b、調整ネジ部３５c、プレート３６から構成され、口内にバイトピース３５を入れた際に犬歯付近の歯列位置になるようマウスマスク９の内側左右面に配し、口内支持部３５a及び噛締部３５b部は上下2枚の板バネが２０度から３０度の角度で上下に開いたものとする。調整ネジ部３５cはネジの溝がきられたプレート３６内部を回転させることができるものとする。排気管２７は、図８のようにマウスマスク９内下部の逆流防止弁２６の位置に取り付け、左右の排気管上端部に小さな排気孔２８を多数開け、排気管２７の中央下側面には排水孔２９を数箇所設ける。
【００２０】
第三項目に関しては、水中スピーカーと電源及び増幅器を分離し各々次の述べる場所に納まるようにする。先ず水中スピーカーであるが、通常のレギュレーターの二次減圧弁前面中央には二次減圧弁内空間に入った水を排出するための強制排気させるために必要なダイヤフラム３２を押し下げデマンドレバー３３を作動させるパージボタンが必ず備えられている部分に図４のように軽量小型の水中スピーカー１３を組み込み二次減圧弁内壁面に固定し、図５の透視図に示したようにパージボタンの代替機能として当該スピーカーとダイヤフラム３２の隙間にパージレバー３１を配し、可動軸部３１aを支点としてパージレバー用可動空間３４の範囲を手動によりレバーを押し下げることができるようにする。
【００２１】
また、水中スピーカー１３を二次減圧弁１０に組み込みかつマウスマスク９に水中マイクロフォンを配した場合、両者が隣接してしまうため音のハウリング現象により音声ボリュームを十分に上げることができなくなることや通話時に排気音が雑音として拡声されてしまうことを避けるため、本発明による水中通話装置においてはハウリングの影響が少なく、排気音等の雑音を低減できる咽喉マイクロフォン１２を使用しダイバーの咽喉部に付けて使用する方法とする。
【００２２】
次に電源及び増幅器であるが、図４の断面図に表したように増幅器１４と電源部である電池ケース１５、電源スイッチ１６を別容器に分離して収容し、増幅器１４を取付リング４４により図１０のように圧縮空気タンク１のボトルネック１aに取り付け、そこから通気管２１を伸ばしダイバーの手元に届く電源スイッチ１６を配する。
【発明の効果】
【００２３】
本発明の前提として、レギュレーター２の一次減圧弁で周囲の圧力より少し高く調整された圧縮空気タンク１の空気が、二次減圧弁１０あるいは予備のオクトパス４により、ダイバーの呼吸動作に反応し、最終的に周囲の圧力と同じ圧力に調整された空気として二次減圧弁内空間１０aに供給されるという周知の技術を基本として、発明の効果について課題を解決するための手段の項に準じて第一項目、第二項目、第三項目の順に述べる。
【００２４】
第一項目に関しての効果について主に図４を参照しながら述べる。通常ダイバーは、吸気動作により前述した周囲の圧力と同じに圧力調整された空気を肺に取り込み、呼気動作により二次減圧弁内空間に吐き出した空気を二次減圧弁に備わる逆流防止弁から排気管を介して外へ排出するものであり、二次減圧弁内空間に浸入した水も同様である。
【００２５】
本発明による通話システムでは、吸気動作により二次減圧弁内空間１０aの空気が逆流防止弁２５を介して肺に取り込まれ、呼気動作により気道、口を経由しマウスマスク内空間９aへ吐き出され、余分な空気はマウスマスク９に備わる逆流防止弁２６を通り排気管２７から水中へ排出される。マウスマスク内に浸入した水も同様に排出される。空気及び水が逆流防止弁２５により二次減圧弁内空間１０a側に送られることはなく、かつ逆流防止弁２４により水密が保たれる二次減圧弁内空間１０aは、ダイバーが呼吸を繰り返している限り周囲の圧力と同じ空気で充満され、ほとんど水が浸入しない構造となっている。
【００２６】
ダイバーが潜降中、二次減圧弁内空間１０aは最初に周囲の圧力と同化した空気が供給されるため、一時的に、浸水防止室内空間１１aや咽喉マイクロフォン内空間１２a、水中スピーカー内空間１３a、増幅器内空間１４a、電池ケース内空間１５a、電源スイッチ内空間１６aの各容器内の空気圧力より少し高い圧力の状態となる。二次減圧弁内空間１０aのこの高い空気圧力は、通気管１７を経由し浸水防止室内空間１１aに伝わり、上記各容器内空間へ伝達される。つまり各容器内の空気の圧力は、周囲の圧力と同じ圧力になるように絶えず変化し続ける。
【００２７】
ダイバーが浮上中は、周囲の圧力が下がっていくため、浸水防止室内空間１１a、咽喉マイクロフォン内空間１２a、水中スピーカー内空間１３a、増幅器内空間１４a、電池ケース内空間１５a、電源スイッチ内空間１６aの各容器内部では空気が膨張し、一時的に内圧が周囲の水中の圧よりも高くなる。このとき逆流防止弁２３を備える浸水防止室内空間１１aは即座に膨張した空気が逆流防止弁２３から排出され他の容器よりも早く周囲の圧力と同化するため、他の容器内で膨張した空気は各容器に繋がっている通気管１８、１９、２０、２１を経由して、浸水防止室内空間１１aに入り、通気管１７に取り付けられた逆流防止弁２２により二次減圧弁内空間１０aへの流れは閉塞されているため、逆流防止弁２３側から自動的に外へ排出され各容器内圧力も周囲と同じ圧力の平衡状態に保たれる。
【００２８】
上記詳述したとおり、ダイバーが呼吸しているかぎりいかなる水深でも二次減圧弁内空間１０a、浸水防止室内空間１１a、咽喉マイクロフォン内空間１２a、水中スピーカー内空間１３a、増幅器内空間１４a、電池ケース内空間１５a、電源スイッチ内空間１６aの各容器内空気の圧力は周囲の圧力と同じに調整される。そこで第一項目に関して、次に掲げる１）から３）のメリットが生じる。
【００２９】
１)咽喉マイクロフォン振動板１２ｂと水中スピーカー振動板１３bは、周囲の圧力と容器内部の圧力が平衡に達するまでの一時的な圧力差に耐えられる程度の耐圧強度の構造で対応できるため振動板の厚みを薄くできるため、咽喉マイクロフォン振動板１２ｂでは小さな振動でもダイバーの音声を受信が可能となり、水中スピーカー振動板１３bでは音声振動が容易になり効率の良い音声の伝達が可能となる。同様に容器自体も薄く加工できるため本発明の主要な構成要素となる水中スピーカー１３の小型軽量化や咽喉マイクロフォン振動板１２を咽喉部に付ける際に邪魔にならないよう薄型でコンパクトな形状にすることが可能になる。
【００３０】
２）前述の各容器内外の圧力が平衡状態に維持されるため、ダイバーは潜水できる範囲内であればどの水深でもそれらを携帯し使用することができる。
【００３１】
３）二次減圧弁内空間１０aは、ダイバーが呼吸している場合は逆流防止弁２５より水が浸入しない構造であるため通気管を介して水中マイクロフォン等機器を内蔵した容器内に浸水することはない。何らかの事情により潜水中に二次減圧弁内空間１０aに水が浸入した場合に、上記の浸水防止室１１には他の各容器内部への浸入を防ぐ構造が備わっている。次にその構造について図４を参照しながら詳述する。
【００３２】
図４は二次減圧弁１０からマウスマスク９にかけての部分（図２のＡ-Ａ'）及び増幅器１４（図１のC-C'）の断面図に電池ケース１５から電源スイッチ１６にかけての断面図を加え、さらに解説に必要な箇所を補足追加したものであり、ダイバーがマウスマスク９に顔を当てバイトピース３５を噛んでいる状態を表している。それぞれの容器の大きさや通気管の配置や長さなどは図１１などから推測されるものと異なるものであるが、基本的構造や構成に変わりはなく機能的な側面を中心に図解したものである。
【００３３】
ダイバーが呼吸している間、飛沫や水滴など逆流防止弁２５から二次減圧弁内空間１０aへ水が浸入することが想定されるが、二次減圧弁内空間１０aに入った水は、押圧レバー４６を前方へ押して逆流防止弁２５を押圧リング４５により塞ぎ後述する発明の効果の第三項目で解説するパージレバー３１の作動で二次減圧弁内空間１０aへ空気を強制的に送ることにより逆流防止弁２４から排出させることができる。しかし二次減圧弁内空間１０aに浸水した水が一定量を超えた場合、通気管１７内へ浸入し、浸水防止器内部空気室１１aに押し出されて容器下部に溜まる。図４の浸入した水３０aが通気管１８、１９、２０の上端部に達しなければ咽喉マイクロフォン内空間１２a、水中スピーカー内空間１３a、増幅器内空間１４a、電池ケース内空間１５a、電源スイッチ内空間１６aへの浸水を防止できる。
【００３４】
この浸水防止器内部空気室１１aに溜まった水は、ダイバーが浮上する行動をとった場合、逆流防止弁２２により空気の流れは止められてしまうため、周囲の圧力低下に伴う各容器内及び浸水防止室内空間１１aの空気膨張による内圧の上昇により自動的に逆流防止弁２３から外部へ排出される。
【００３５】
また、ダイバーが水面で当該マウスマスク９をはずしている間に、逆流防止弁２５が水流等により変形し水が二次減圧弁内空間１０aに入る恐れがある場合は、図４、図９示した外部に伸びた押圧レバー４６を前方へ押すことで押圧リング４５が逆流防止弁２５を塞ぎ弁が開かない状態にできるため浸水を防止できる。
【００３６】
第二項目に関して発明の効果の１）から３）について各々解説を行う。
1）マウスマスク９に備えたバイトピース３５を口にくわえることにより、バンドを使用してマウスマスクを顔に密着させることなくマウスマスク９と一体化した水中スピーカー付き二次減圧弁１０を保持できることであり、具体的な説明を以下に述べる。
【００３７】
図７は口を開閉した場合のバイトピース３５と上顎歯３７a及び下顎歯３７bとの関係を表したものであるが、上下に開いた２枚の薄い板バネを基本構造としたバイトピース３５の噛締部３５bを犬歯前後の歯列で噛むと同時に口内支持部３５aの突起がその歯列の内側に掛かる構造であるため、マウスマスク９を口の周囲に密着させ保持することができるだけでなく、その状態から顎の筋肉を緩め口を開ける動作をしてもバイトピース３５の上下に分かれた板バネの反撥力により口内支持部３５aは上下の歯列３７a、３７bの内側にかかった状態を維持できるためマウスマスク９は外れることはない。またバイトピース３５は全体的に薄い形状であるため口内であまり邪魔にならず舌も自由に動かせるので自然に近い発声が可能であるだけでなく、マウスマスク９を保持ために噛締部３５bを強く噛む必要がないためダイバーの顎の疲労を少なくすることができる。さらにバイトピース３５は調整ネジ部３５cを回転させることによりプレート３６からマウスマスク９内部へ繰り出す長さを使用者の口のサイズに合わせて調整できる。
【００３８】
２）マウスマスク９は上記の特徴を有するバイトピース３５を備えているため二次減圧弁１０に取り付けて主たる呼吸装置として使用することが可能であり、オクトパス４に装備する必要がなく、オクトパス４を本来の状態のまま緊急時の予備空気供給源として確保しておくことができる。
【００３９】
３）排気管２７に関してのものであり図４、図８を参照しながら述べる。図４に示したように潜水中にマウスマスク内空間９aに吐き出された空気及び水は排気管２７を経由し、排水孔２９及び排気孔２８の両者から外へ排出される。そして通話時のやや少ない排出量の呼気は主に排気管２７上端に多数開けられた小さな孔から小さな気泡となり自然に出ていくことで排気は徐々に行われていく状態になり、図８に表したように排気管２７内上側から逆流防止弁２６の周囲にかけて空気の層が一時的に形成されるため、排気管２７内への排水孔２９からの水３０bの浸入も抑制された状態となるため排気抵抗とその変動幅が小さくなり安定した自然な発声が可能となる。
【００４０】
第三項目。二次減圧弁１０の前面に水中スピーカー１３を組み込んだことにより、話し手であるダイバーの顔と水中スピーカー１３の向きが同じになるため、自然な会話の形となり音声が聞き取り易くなるだけでなく、手を使って相手にスピーカーを向ける手間が省けるため手を図１１中のインフレターホース８など潜水中に必要な器具の操作などに使うことができる。
【００４１】
増幅器１４を取付リング４４により圧縮空気タンク１のボトルネック１aに取り付けられることにより、手で携帯したりBCジャケット７のポケットに収納したりする手間が省け、必要に応じて手元で通話の電源スイッチ１６を押す操作だけで簡単に電源のON、OFFを切り替えることができる。  
【００４２】
マウスマスク内空間９aに水が入ってしまった場合は、少量であればダイバーが強く息を吐くことでその水を外へ排出できるが、水の量が多い場合は図５に示したパージレバー３１をパージレバー用可動空間３４の開いている方向、つまりマウスマスク側に押すことでダイヤフラム３２が押し下げられ、それと連動してデマンドレバー３３が作動し空気を二次減圧弁内空間１０a 及びマウスマスク内空間９aへ強制的に供給し、その空気圧力で水を排気管２７から排出することができる。
【発明を実施するための最良の形態】
【００４３】
容器の一部として機能する咽喉マイクロフォン振動板１２ｂとスピーカー振動板１３bの厚みを容器にかかる衝撃に対しての安全性を考慮した上で、音声振動が容易な１ｍｍ前後とする。また容器の重量を１５０ｇ前後まで小型軽量化し、二次減圧弁１０前面への水中スピーカー１３の取り付けを容易にする。
【００４４】
水中スピーカー１３は、硬質塩化ビニールや合成樹脂、アクリルなどの素材を水密容器に加工し、セラミックスピーカー３９を内蔵させ防水処理をする。咽喉マイクロフォン１２は、咽喉部に付けた際に邪魔にならないようシリコンゴムなどの柔軟性に富む素材により内蔵マイクロフォン３８を密閉収容し、咽喉マイクロフォン振動板１２ｂ、スピーカー振動板１３bにはそれぞれ硬質塩化ビニールあるいはアクリルなどの厚みが１ｍｍ前後の板を使用する。増幅器１４はある程度の衝撃にも耐えられるよう厚さ３〜５ｍｍのポリカーボネイトなどの素材を加工し防水加工する。
【００４５】
通気管１７、１９は内径3ｍｍ程度のフレキシブルなシリコンなどの半透明の通気管を用い、通気管２０には内径５ｍｍ程度の擦れや切断に強い耐圧チューブを用いる。
【００４６】
マウスマスク９はシリコンゴムを用い成型し、浸水防止室１１は厚さ１〜２ｍｍの硬質塩化ビニールなど素材を用い、全体の内容積を二次減圧弁１０と一体化したマウスマスク９の水中重量を軽くすることも考慮して１００ｍｌ程度とし約１００ｇの浮力を得るものする。
【００４７】
逆流防止弁２５、２６には流量が多くても対応できる円形のシリコンゴムによるタイプを使用し、逆流防止弁２２、２３、２４には水槽用品として利用されている弁が変形しにくく水や空気が逆流することの可能性が少ないパイプ状のタイプを使用する。
【００４８】
バイトピース３５は厚さ０．２ｍｍ程度のステンレス鋼の板バネを使用し、口内支持部３５a、噛締部３５bの表面は厚さ２ｍｍ前後の硬質ゴムで覆う。口内支持部３５aは２枚の板バネの開く角度を２０度から３０度の間に設定し、上下の隙間幅を１０〜１５ｍｍとり、口を少し開けても口内支持部３５aが歯の内側に接した状態が保たれるようにする。プレート３６はプラスチックの板など丈夫で軽量のものを使用する。排気管２７の排気孔２８は直径を１〜１．５ｍｍ前後とし、全体で１００個前後の孔を設け、排水孔２９は直径を５ｍｍの孔を合計３〜５個設ける。
【００４９】
電池ケース１５は、電源スイッチ１６へ伸びる通気管の一部とし合成ゴムなどの筒状のケースに電池の出し入れができるよう取り外しのできる水密キャップをつける。このキャップには通気管２１と電池ケース１５内空間１５aが通気できるように通気孔を設ける。通気管２１の先端部はプッシュスイッチ式の電源スイッチ１５を取り付け蛇腹状の伸縮するケースに収容し密閉する。
【実施例１】
【００５０】
本発明による図１の通話システムの実施例を図１１に示した。ダイバーは咽喉マイクロフォン１２を付け、水中スピーカー１３が一体となったマウスマスク９を口で保持しており、増幅器１４は圧縮空気タンク１のボトルネック１aに取付リング４４により固定し携帯している状態を表す。ダイバーは必要に応じて手元の電源スイッチ１６を押すだけで水中通話が可能となる。
【産業上の利用可能性】
【００５１】
ファンダイビング中の一般ダイバー同士やインストラクターからの指示や説明など言葉によるコミュニケーションがとれることで楽しさが増すと同時に水中での不安も少なくなることでレジャーダイビング業界の活性化につながり、潜水作業現場、環境調査や水中取材での水中レポート作業など言葉で情報を伝えることが容易になるため作業効率、安全性やサービスの向上が図れる。  
【図面の簡単な説明】
【００５２】
【図１】圧力平衡式水中通話システムの正面斜視図である（点線の枠内はマウスマス    ク９と対比した場合の縮小したサイズで図示したものである）。
【図２】マウスマスク付き二次減圧弁を上から見た図である。
【図３】マウスマスク付き二次減圧弁を前方斜め下から見た図である。
【図４】圧力平衡式水中通話システムの構成と機能を表した図である（図２のA−A'及び図１のC−C'の断面図等を組み合わせた図）。
【図５】パージレバー３１を表した二次減圧弁１０の透視図である。
【図６】図１のD−D'の断面図であり、バイトピース３５の構造を表した図である。
【図７】バイトピース３５と歯列の関係を表した図である。
【図８】図２のB−B' の排気管２７の断面図である。
【図９】逆流防止弁２５を閉じる押圧リング４５について表した図である。
【図１０】増幅器１４を圧縮空気タンク１に取り付けた図である
【図１１】圧力平衡式水中通話システムを装着したダイバーを表す図である。
【００５３】
１      圧縮空気タンク
１a     ボトルネック
２      レギュレーター（一次減圧弁側）    
３      中圧ホース
４      オクトパス（予備の二次減圧弁）
５      水中マスク
６      空気流量調整弁            
７      BCジャケット
８      インフレ−ターホース
９      マウスマスク
９a     マウスマスク内空間
９b     二次減圧弁取付口
１０    二次減圧弁
１０a   二次減圧弁内空間
１０b   給気口
１１    浸水防止室
１１a   浸水防止室内空間
１２    咽喉マイクロフォン
１２a   咽喉マイクロフォン内空間
１２b   咽喉マイクロフォン振動板
１３    水中スピーカー
１３a   水中スピーカー内空間
１３b   水中スピーカー振動板
１４    増幅器
１４a   増幅器内空間
１５    電池ケース
１５a   電池ケース内空間
１６    電源スイッチ
１６a   電源スイッチ内空間
１７    通気管（二次減圧弁−浸水防止室）
１８    通気管（浸水防止室−咽喉マイクロフォン）
１９    通気管（浸水防止室−水中スピーカー）
２０    通気管（浸水防止室−増幅器）
２１    通気管（増幅器−電源スイッチ）
２２    逆流防止弁（流れを二次減圧弁から浸水防止室方向だけに制御）
２３    逆流防止弁（流れを浸水防止室から外側方向だけに制御）
２４    逆流防止弁（流れを二次減圧弁から外側方向だけに制御）
２５    逆流防止弁（流れを二次減圧弁からマウスマスク方向だけに制御）
２６    逆流防止弁（流れをマウスマスクから排気管方向だけに制御）
２７    排気管
２８    排気孔（排水孔）  
２９    排水孔（排気孔）
３０a   浸水防止室内空間に浸入した水
３０b   排気管内に浸入した水
３１    パージレバー
３１a   可動軸部
３２    ダイヤフラム
３３    デマンドレバー
３４    パージレバー用可動空間
３５    バイトピース
３５a   口内支持部
３５b   噛締部
３５c   調整ネジ部
３６    プレート
３７a   上顎歯
３７b   下顎歯    
３８    内蔵マイクロフォン
３９    セラミックスピーカー
４０    増幅回路
４１    電池
４２    音声端子
４３    音声コード
４４    取付リング
４５    押圧リング
４６    押圧レバー
【図１】
2006306339.tif 000003
【図２】
2006306339.tif 000004
【図３】
2006306339.tif 000005
【図４】
2006306339.tif 000006
【図５】
2006306339.tif 000007
【図６】
2006306339.tif 000008
【図７】
2006306339.tif 000009
【図８】
2006306339.tif 000010
【図９】
2006306339.tif 000011
【図１０】
2006306339.tif 000012
【図１１】
2006306339.tif 000013